(57)【要約】【課題】デザイン性を損なうことなく長さ調整が可能で、しかも、連結された眼鏡部品同士が安定な結合状態を保ち得る長さ調整可能なテンプルを提供する。【解決手段】長手方向に形成された貫通孔とこれに並行して形成された有底孔とを有するテンプル側プラスチック樹脂部材１７２と、一端がヨロイ側部材に接続され、他端が前記貫通孔に挿通されるテンプル芯がね部材１７６と、前記テンプル芯がね部材よりも短尺の短芯がね部材１７８と、長手方向に形成された第１の有底孔とこれに並行して形成された第２の有底孔とを有するモダン部材１７４と、を備え、テンプル芯がね部材１７６はテンプル側プラスチック樹脂部材１７２の貫通孔に挿通されると共に、モダン部材１７４の第１の有底孔に差し込まれ、短芯がね部材１７８はテンプル側プラスチック樹脂部材１７２の有底孔とモダン部材１７４の第２の有底孔とに差し込まれて、テンプル側プラスチック樹脂部材１７２とモダン部材１７４とを所定の長さ位置に保持するように構成されている。【選択図】図２
2010060624.tif 000002
【特許請求の範囲】
【請求項１】
長手方向に形成された貫通孔とこれに並行して形成された有底孔とを有するテンプル側プラスチック樹脂部材と、
一端がヨロイ側部材に接続され、他端が前記貫通孔に挿通されるテンプル芯がね部材と、
前記テンプル芯がね部材よりも短尺の短芯がね部材と、
長手方向に形成された第１の有底孔とこれに並行して形成された第２の有底孔とを有するモダン部材と、を備え、
前記テンプル芯がね部材は前記テンプル側プラスチック樹脂部材の前記貫通孔に挿通されると共に、前記モダン部材の前記第１の有底孔に差し込まれ、前記短芯がね部材は前記テンプル側プラスチック樹脂部材の前記有底孔と前記モダン部材の前記第２の有底孔とに差し込まれて、前記テンプル側プラスチック樹脂部材と前記モダン部材とを所定の長さ位置に保持するように構成されていることを特徴とする長さ調整可能なテンプル。
【請求項２】
前記テンプル芯がね部材、前記貫通孔及び前記第１の有底孔は、それぞれ、断面が円形であり、前記短芯がね部材、前記テンプル側プラスチック樹脂部材の有底孔及び前記第２の有底孔は、それぞれ、断面が非円形であることを特徴とする請求項１に記載の長さ調整可能なテンプル。
【請求項３】
前記テンプル側プラスチック樹脂部材はその一端の上部に形成されたヨロイ収容部を有し、前記貫通孔及び有底孔がその上下の幅方向に並行に形成されていることを特徴とする請求項１又は２に記載の長さ調整可能なテンプル。
【請求項４】
請求項１ないし３のいずれかに記載のテンプルを備えることを特徴とする眼鏡。
【発明の詳細な説明】
【技術分野】
【０００１】
本発明は、テンプルの長さが調節できる長さ調整可能なテンプル及び当該テンプルを備える眼鏡に関する。
【背景技術】
【０００２】
一般に、眼鏡フレームは、レンズを保持する前枠（リム）、左右のリムを連結するブリッジ、ヨロイ、テンプル、テンプル後端の耳掛け部（これをモダンと称す）などの多数の眼鏡部品が適所で連結されて作製されている。
【０００３】
近年、眼鏡フレームのデザインにおいて、テンプル幅を広くしたものが多くなってきている。構造的には、金属製のテンプルのものでは、耳掛け部は金属製の芯がねにプラスチック樹脂を差し込んだ構造のものが多い。また、耳掛け部も金属製にしてあるものもある。また、プラスチック樹脂製のテンプルのものでは、金属製の芯がねを入れたものや、テンプル全てをプラスチック樹脂で作成したものもある。さらに、眼鏡のリムとしては、プラスチック樹脂製、金属製、ふちなし（リムレス）タイプ、ナイロールタイプなどさまざまである。
【０００４】
ところで、掛け心地のよい眼鏡フレームであるためには、耳掛け部が眼鏡装着者の耳に丁度掛けられるように、耳掛け部(モダン曲げ部)までの長さを眼鏡の装着者によって合わす必要がある。
【０００５】
かかるテンプルの長さの調整が数mm以内であれば、モダン曲げ位置を曲げ直しして調整しても、見た目にはそれほど変わらないため、ほとんどの調整はこの方法がとられている。また、金属製のテンプルで、モダン部の芯がねと金属テンプル部とがほぼ同じ太さであれば、芯がねの先を切り取ってからモダンを付け直す方法で調整することも可能である。
【０００６】
さらに、特許文献１には、長手方向のスライド穴とその内側の部分に溝が形成され、この溝内にスライダ部材が移動可能に配設された金属製のテンプルに、長穴が穿設されたモダンを被嵌させ、該モダンを横切り、穿設された穴を貫通する固定ネジでもってスライダ部材のネジ穴と螺合させることにより、モダンのテンプルに対する位置、すなわち、テンプル長さを調整可能とした機構が開示されている。
【０００７】
【特許文献１】特開２００７−４７２８３号公報
【発明の開示】
【発明が解決しようとする課題】
【０００８】
しかしながら、従来のモダン曲げ位置を曲げ直しして調整する方法では、その曲げ直しの作業が容易ではなく、曲げ位置の誤差や、曲げ具合の誤差に起因して、左右の形状バランスが崩れてしまうことがあり、最悪の場合には、元々用意されていた眼鏡ケースに入らなくなってしまうほど形状が変わってしまうということがあった。これを避けるためには、長さの異なるテンプルを何種類も用意すれば良いが、無駄な在庫が必要となりコスト高となってしまう。特に、プラスチック樹脂製のテンプルではカラーバリエーションも多いため、このような方法が採れない。
【０００９】
そこで、特許文献１に開示のような機構を採用することも考えられるが、この機構は、金属製のテンプルに長穴が穿設されたモダンを被嵌させ、このモダンのテンプルに対する位置を、固定ネジを緩めることによりスライドさせて調節し、調節後に固定ネジを緊締することで所定長さに固定するものであり、デザイン性を重視するテンプルには到底採用できないという問題がある。すなわち、モダンのテンプルに対する調整位置によっては、金属製のテンプルに形成されたスライド穴の一部が露出したり、また、固定ネジの頭部は常時露出するのみならず、モダンから突出しており、その外観が好ましくないからである。
【００１０】
本発明の目的は、かかる問題に鑑みて、デザイン性を損なうことなく長さ調整が可能で、しかも、連結された眼鏡部品同士が安定な結合状態を保ち得る長さ調整可能なテンプルを提供することにある。
【課題を解決するための手段】
【００１１】
上記目的を達成する本発明の一形態にかかる長さ調整可能なテンプルは、長手方向に形成された貫通孔とこれに並行して形成された有底孔とを有するテンプル側プラスチック樹脂部材と、一端がヨロイ側部材に接続され、他端が前記貫通孔に挿通されるテンプル芯がね部材と、前記テンプル芯がね部材よりも短尺の短芯がね部材と、長手方向に形成された第１の有底孔とこれに並行して形成された第２の有底孔とを有するモダン部材と、を備え、前記テンプル芯がね部材は前記テンプル側プラスチック樹脂部材の前記貫通孔に挿通されると共に、前記モダン部材の前記第１の有底孔に差し込まれ、前記短芯がね部材は前記テンプル側プラスチック樹脂部材の前記有底孔と前記モダン部材の前記第２の有底孔とに差し込まれて、前記テンプル側プラスチック樹脂部材と前記モダン部材とを所定の長さ位置に保持するように構成されていることを特徴とする。
【００１２】
ここで、前記テンプル芯がね部材、前記貫通孔及び前記第１の有底孔は、それぞれ、断面が円形であり、前記短芯がね部材、前記テンプル側プラスチック樹脂部材の有底孔及び前記第２の有底孔は、それぞれ、断面が非円形であることが好ましい。
【００１３】
また、前記テンプル側プラスチック樹脂部材はその一端の上部に形成されたヨロイ収容部を有し、前記貫通孔及び有底孔がその上下の幅方向に並行に形成されていることが好ましい。
【発明の効果】
【００１４】
上記本発明の一形態にかかる長さ調整可能なテンプルによれば、所定の長さに用意されたテンプル芯がね部材及び短芯がね部材の長さを切断などにより調整した後に、単に、当該テンプル芯がね部材がテンプル側プラスチック樹脂部材の貫通孔に挿通されると共に、モダン部材の第１の有底孔に差し込まれ、短芯がね部材がテンプル側プラスチック樹脂部材の有底孔とモダン部材の第２の有底孔とに差し込まれることにより、テンプル側プラスチック樹脂部材とモダン部材とが所定の長さ位置に保持されるように構成されているので、デザイン性を損なうことなく長さ調整が可能で、しかも、連結されたテンプル側プラスチック樹脂部材とモダン部材同士が安定な結合状態を保ち得る、長さ調整可能なテンプルが提供される。
【００１５】
かくて、従来、特に幅広デザインのプラスチック樹脂製テンプルでは、調整範囲が狭かったため、長さの異なるものを用意するか、形状を無視した無理な加工を施して調整せざるを得なかったのが、本発明の一形態にかかる長さ調整可能なテンプルでは、大きな調整が可能であり、形状もそれほど変えなくて済むため、コスト的にもデザイン的にも優れた、掛け心地の良いものを顧客に提供することが出来る。
【００１６】
さらに、テンプル側プラスチック樹脂部材及びモダン部材の交換が容易で、デザインや色の違ったものも容易に取り付けることが可能であり、バリエーションも多岐に亘り得るので、さらに、顧客満足度を増大させる商品となる。
【００１７】
ここで、前記テンプル芯がね部材、前記貫通孔及び前記第１の有底孔が、それぞれ、断面が円形であり、前記短芯がね部材、前記テンプル側プラスチック樹脂部材の有底孔及び前記第２の有底孔が、それぞれ、断面が非円形である形態によれば、テンプル芯がね部材の前記貫通孔及び前記第１の有底孔へ挿通ないしは差し込み作業が容易に行われ得ると共に、単位断面積当たりの短芯がね部材の曲げ剛性を大きくすることにより、テンプル全体の強度を高めると共に、連結されたテンプル側プラスチック樹脂部材とモダン部材同士の安定な結合状態を保つことができる。
【００１８】
また、前記テンプル側プラスチック樹脂部材はその一端の上部に形成されたヨロイ収容部を有し、前記貫通孔及び有底孔がその上下の幅方向に並行に形成されている形態によれば、テンプル側プラスチック樹脂部材からの無用な突出を回避することができ、デザイン性を向上させ得ると共に、容易に上下に幅広のテンプルとすることができる。
【発明を実施するための最良の形態】
【００１９】
以下、本発明の実施の形態を、添付図面を参照しつつ説明する。なお、本明細書の記述において、「前後」、「左右」および「上下」等の方向を表す表現は、眼鏡が通常の状態で人に装着されているときの方向を表している。
【００２０】
図１（Ａ）ないし（Ｃ）は、本発明に係る長さ調整可能なテンプルをリムレス眼鏡１００に適用した実施形態を示し、当該リムレス眼鏡１００は、プラスチック製の左右のレンズ１１０と、レンズ１１０に固設された眼鏡部品として、左右の金属製ヨロイ１２０及び金属製ブリッジ部材１３０とを備えている。なお、本実施の形態において、レンズ１１０には、図１（Ａ）ないし（Ｃ）から明らかなように、その内側縁部近傍及び外側縁部近傍においてほぼ同じ高さ位置に、ブリッジ側のレンズ孔１１２in及びヨロイ側のレンズ孔１１２outがそれぞれ穿設されている。なお、ブリッジ側及びヨロイ側の区別をする必要なくレンズ孔を称するときは、本実施形態において１１２を用いる。
【００２１】
金属製ヨロイ部材１２０は、レンズに固設されるレンズ固定部としての脚部１２２と、テンプルに連結される連結部としての腕部１２４を有している。そして、本実施の形態においては、金属製ヨロイ部材１２０の脚部１２２と腕部１２４との間には第１のＵ字状湾曲部１２５及び第２のＵ字状湾曲部１２６が介在されている。第１のＵ字状湾曲部１２５の一方は脚部１２２と直線状に連続して形成され、その他方は第２のＵ字状湾曲部１２６の一方と兼用されている。そして、第２のＵ字状湾曲部１２６の他方は腕部１２４と連続して形成されている。さらに、腕部１２４は該第２のＵ字状湾曲部１２６との連続部から外方向に向けてなだらかに湾曲されている。金属製ヨロイ部材１２０は、脚部１２２、第１のＵ字状湾曲部１２５、第２のＵ字状湾曲部１２６及び腕部１２４を含み、本実施の形態においては一本の金属線材、例えば、ニッケル・クロム合金、ニッケル・チタン合金等の易曲性弾性材から形成されている。そして、円柱状の脚部１２２の外周面にはローレット溝が形成されている。
【００２２】
また、金属製ヨロイ部材１２０の腕部１２４の一端部には、後述するヒンジ１６０の略鼓状のソケット部材１６２が設けられている。そして、該ヒンジ１６０を介してテンプル１７０が連結されている。
【００２３】
一方、金属製ブリッジ部材１３０は、レンズに固設されるレンズ固定部としての脚部１３２と、腕部１３４を有している。本実施の形態においては、金属製ブリッジ部材１３０の腕部１３４はＵ字状湾曲部１３５及びこれに連なる直角曲折部１３６を有し、Ｕ字状湾曲部１３５の一方の延長として脚部１３２が直線状に連続して形成されている。そして、腕部１３４の直角曲折部１３６の端部同士がブリッジである連結部１３７で連結されている。金属製ブリッジ部材１３０は、脚部１３２、腕部１３４及び連結部１３７が、同じく、一本の金属線材、例えば、チタン合金、ニッケル・クロム合金、ニッケル・チタン合金等の易曲性弾性材から一体のブリッジとして形成されている。なお、この金属製ブリッジ部材１３０の両腕部１３４に対し、鼻当てパッド１４０が取り付けられるＵ字状湾曲部１４２を備えた鼻当てパッド取付部材１４４がそれぞれ接合されている。そして、円柱状の脚部１３２の外周面には、金属製ヨロイ部材１２０と同様に、ローレット溝が形成されている。
【００２４】
ここで、本発明に係る長さ調整可能なテンプル１７０の構成部品につき、まず簡単に説明する。図５（Ａ）は、組立前のテンプル１７０の各構成部品を示し、１７２は上下方向の幅が広く形成されたテンプル側プラスチック樹脂部材、１７４は同じくプラスチック樹脂で形成されたモダン部材、１７６はテンプル芯がね部材、及び、１７８はテンプル芯がね部材１７６よりも短尺の短芯がね部材である。そして、テンプル側プラスチック樹脂部材１７２には、図３（Ａ）に詳しく示すように、そのなだらかに湾曲された前端部の上部に上述のヨロイ部材１２０ないしはヒンジ１６０を収容するヨロイ収容部１７２Ａが形成されると共に、該前端部のヨロイ収容部１７２Ａから後端に亘る長手方向に貫通孔１７２Ｂが形成されている。さらに、後端からは貫通孔１７２Ｂに並行してその下側に有底孔１７２Ｃが形成されている。さらに、本実施の形態においては、図４に示されるように、テンプル側プラスチック樹脂部材１７２の前端上方を切り欠いて形成されているヨロイ収容部１７２Ａに、後述するヒンジ１６０の略鼓状のソケット部材１６２とテンプル１７０のテンプル芯がね部材１７６のＪ字状曲折部１７６Ａとの下側部分を収容するヒンジ収容凹部１７２Ｄが形成されている。そして、テンプル側プラスチック樹脂部材１７２の湾曲された前端部の端面には、ヨロイ部材１２０の第２のＵ字状湾曲部１２６を収容するヨロイ収容凹部１７２Ｅが形成されている。また、モダン部材１７４には、図３（Ｂ）に詳しく示すように、その前端から長手方向に第１の有底孔１７４Ａとこれに並行して第２の有底孔１７４Ｂとが上下に形成されている。
【００２５】
ここで、本実施の形態においては、上述のテンプル芯がね部材１７６、テンプル側プラスチック樹脂部材１７２の貫通孔１７２Ｂ、及びモダン部材１７４の第１の有底孔１７４Ａは、それぞれ、断面が円形である。一方、短芯がね部材１７８、テンプル側プラスチック樹脂部材１７２の有底孔１７２Ｃ、及びモダン部材１７４の第２の有底孔１７４Ｂは、それぞれ、断面が非円形（本例では四角形）である。
【００２６】
さらに、ヒンジ１６０とテンプル１７０につき、図１（Ａ）ないし（Ｃ）及び図２（Ａ）及び（Ｂ）を主に参照して簡単に説明する。本実施の形態においては、ヒンジ１６０が略鼓状のソケット部材１６２とテンプル１７０のテンプル芯がね部材１７６の前端部に形成されたＪ字状曲折部１７６Ａとの組合せにより構成されている。より詳しくは、略鼓状のソケット部材１６２には中心に貫通孔が形成されると共に、外周の一部に周方向溝が形成されている。そして、このソケット部材１６２は、本実施の形態においては、上述した金属製ヨロイ部材１２０の腕部１２４の端部がその外周の一部を囲んで接合される形態で、金属製ヨロイ部材１２０と一体に形成されている。
【００２７】
金属線材（例えば、チタン合金、ニッケル・クロム合金、ニッケル・チタン合金等の弾性材）からなるテンプル芯がね部材１７６の端部に形成されたＪ字状曲折部１７６Ａは、ソケット部材１６２の貫通孔に挿通される第１脚部とそれに連続する第２脚部とを備え、第１脚部がソケット部材１６２の貫通孔に挿通されたとき、第１脚部と第２脚部とでソケット部材１６２を弾性的に挟持するようにされている。さらに、該第２脚部は、テンプル芯がね部材１７６の端部の直線状部に対し鋭角に曲折され、その折り曲げの外周部が、上述のソケット部材１６２における周方向溝に係合するように形成されている。
【００２８】
上記本発明の実施の形態にあっては、次の手順によりリムレス眼鏡１００が組立られ、完成されることになる。まず、レンズ１１０に穿設されたブリッジ側のレンズ孔１１２inに金属製ブリッジ部材１３０の脚部１３２を、及びヨロイ側のレンズ孔１１２outに金属製ヨロイ部材１２０の脚部１２２をそれぞれレンズ１１０の後方側から挿入することにより、金属製ブリッジ部材１３０及び金属製ヨロイ部材１２０を、それぞれ、レンズ１１０に固設する。このとき、金属製ブリッジ部材１３０においては、そのＵ字状湾曲部１３５の一方の直線状延長部として形成されている脚部１３２とＵ字状湾曲部１３５の他方に連なる直角曲折部１３６とでもって、ブリッジ側のレンズ孔１１２ｉｎとレンズ１１０の内縁部とを弾性的に挟持するように、Ｕ字状湾曲部１３５の曲率及びレンズ孔１１２ｉｎの穿設位置が定められている。一方、金属製ヨロイ部材１２０においては、脚部１２２とレンズ１１０の側縁部に当接する腕部１２４のＵ字状湾曲部１２６に近い側の一部とでもって、ヨロイ側のレンズ孔１１２outとレンズ１１０の側縁部とを弾性的に挟持するように、腕部１２４の湾曲度合及びレンズ孔１１２outの穿設位置が定められている（図１（Ａ）及び（Ｂ）参照）。
【００２９】
ここで、金属製ヨロイ部材１２０の脚部１２２及び金属製ブリッジ部材１３０の脚部１３２の外周面には、それぞれ、ローレット溝１２８及び１３８が形成されているので、レンズ孔１１２の内周面と脚部１２２及び１３２の外周面とがほぼ均一に接触することとなる。したがって、レンズ１１０と金属製ヨロイ部材１２０及び金属製ブリッジ部材１３０とは、それらの接続部の緩みを生ずることなく確実に固設される。なお、かかる固設状態をより確実にするために、ローレット溝１２８及び１３８に対し接着剤が注入されてもよい。
【００３０】
次に、本発明の実施の形態におけるテンプル１７０の長さ調整方法の手順の一例を図５をも参照して説明する。この例は、図２（Ａ）に示すようなテンプル長さに対して、図２（Ｂ）に示すテンプル長さ（例えば、１０ｍｍ短い）に調整する場合の例である。
【００３１】
まず、１０mm短くするために、図５（Ｂ）に破線で示すように、テンプル芯がね部材１７６及び短芯がね部材１７８を１０mmずつニッパーなどで切り取る。そして、図５（Ｃ）に示すように、テンプル芯がね部材１７６をテンプル側プラスチック樹脂部材１７２の貫通孔１７２Ｂに前端側から差し込む。この時、テンプル芯がね部材１７６を回転（約９０度）させることによって、テンプル芯がね部材１７６の前端部に形成されたＪ字状曲折部１７６Ａとテンプル側プラスチック樹脂部材１７２の前端面との干渉を避けつつ、図５（Ｄ）に示す所定の位置まで、テンプル芯がね部材１７６を差し込むことが出来る。そこで、図５（Ｅ）に示すように、テンプル芯がね部材１７６を回転（約９０度）させて元に戻し、Ｊ字状曲折部１７６Ａ延いてはヒンジ１６０の向きを合わせる。次に、図５（Ｆ）に示すように、短芯がね部材１７８をテンプル側プラスチック樹脂部材１７２の有底孔１７２Ｃに挿入する。そして、図５（Ｇ）に示すように、モダン部材１７４の第１の有底孔１７４Ａにテンプル芯がね部材１７６を、及び、これに並行する第２の有底孔１７４Ｂに短芯がね部材１７８をそれぞれ差し込む。最後に、必要に応じ、図５（Ｈ）に示すように、所定の位置でモダン部材１７４を曲げる。かくて、テンプル１７０の長さの調整が完了することになる。
【００３２】
そこで、上述のように、レンズ１１０に組み立てられている金属製ヨロイ部材１２０に一体に形成されている略鼓状のソケット部材１６２に対し、図１（Ａ）ないし（Ｃ）に示すように、テンプル１７０を連結することによりリムレス眼鏡１００が完成されることになる。より詳しくは、ソケット部材１６２の貫通孔にテンプル芯がね部材１７６の端部に形成されたＪ字状曲折部１７６Ａの第１脚部を挿通すると共に、第２脚部の折曲部をソケット部材１６２の周方向溝に係合させ、第１脚部と第２脚部とでソケット部材１６２を弾性的に挟持させることで、ねじ等を一切用いることなく、各部品が連結されることによりリムレス眼鏡１００が完成される。
【００３３】
なお、上述の組立の手順は入れ換えてもよい。例えば、金属製ヨロイ部材１２０を先に取り付け、そしてテンプル１７０を連結した後に、金属製ブリッジ部材１３０を取り付けたりしてもよい。
【図面の簡単な説明】
【００３４】
【図１】本発明に係る長さ調整可能なテンプルをリムレス眼鏡に適用した実施形態を示し、（Ａ）は平面図、（Ｂ）は正面図、（Ｃ）は側面図である。
【図２】本発明に係る長さ調整可能なテンプルの組立後の実施形態の側面図であり、（Ａ）及び（Ｂ）はそれぞれ異なる長さを示している。
【図３】本発明に係る長さ調整可能なテンプルにおける構成部品の実施形態を示す斜視図であり、（Ａ）はテンプル側プラスチック樹脂部材、（Ｂ）はモダン部材を示す。
【図４】本発明に係る長さ調整可能なテンプルにおける構成部品の整列状態を示す斜視図である。
【図５】本発明に係る長さ調整可能なテンプルの組立手順を（Ａ）ないし（Ｈ）の順で説明する側面図である。
【符号の説明】
【００３５】
１００    眼鏡
１１０    レンズ
１２０    ヨロイ部材
１３０    ブリッジ部材
１６０    ヒンジ
１６２    ソケット部材
１７０    テンプル
１７２    テンプル側プラスチック樹脂部材
１７２Ａ    ヨロイ収容部
１７２Ｂ    貫通孔
１７２Ｃ    有底孔
１７４    モダン部材
１７４Ａ    第１の有底孔
１７４Ｂ    第２の有底孔
１７６    テンプル芯がね部材
１７６Ａ    Ｊ字状曲折部
１７８    短芯がね部材
【図１】
2010060624.tif 000003
【図２】
2010060624.tif 000004
【図３】
2010060624.tif 000005
【図４】
2010060624.tif 000006
【図５】
2010060624.tif 000007